(57)【要約】【課題】  エルボ体の外周を１枚シート状をした遮音シートにより、露出部の発生をなくして迅速、かつ簡単に巻回可能にすることである。【解決手段】  排水管の屈曲配管部に設けられるエルボ体Ｅ2 を覆う遮音シートＳ2 であって、前記エルボ体Ｅ2 の２つの各接続口にそれぞれ巻回して覆うことが可能であって、当該エルボ体Ｅ2 の屈曲部外側に配置される部分が連結部となって互いに連結された２つの巻回体１１から成り、前記各巻回体１１は、各接続口に巻回された状態で両端部が互いに重合する長さに形成されて、当該巻回方向重合部１７において巻回体１１の両端部を連結して一体化するスナップボタン（連結固定部）４３ａ，４３ｂが設けられた構成とする。【選択図】  図８
2012167819.tif 000002
【特許請求の範囲】
【請求項１】
排水管の屈曲配管部に設けられるエルボ体を覆う遮音シートであって、
前記エルボ体の２つの各接続口にそれぞれ巻回して覆うことが可能であって、当該エルボ体の屈曲部外側に配置される部分が連結部となって互いに連結された２つの巻回体から成り、
前記各巻回体は、各接続口に巻回された状態で両端部が互いに重合する長さに形成されて、当該巻回方向重合部において巻回体の両端部を連結して一体化する連結固定部が設けられていることを特徴とする遮音シート。
【請求項２】
エルボ体は、排水管を直交して接続可能であり、しかも２つの接続口の長さが等しいものであって、
巻回方向に沿った辺の長さがエルボ体の周長よりも長い長方形状であって、エルボ体の屈曲部内側に配置される部分が欠落されて、巻回方向と直交する一方の辺で開口して、２つの巻回体が対称形状となった展開形状を有し、巻回方向と直交する他方の辺の中央部に、巻回方向に沿った切込みが形成されていることを特徴とする請求項１に記載の遮音シート。
【請求項３】
排水管の屈曲配管部に設けられるエルボ体を覆う遮音シートであって、
前記エルボ体のわん曲方向に沿った両端の各接続口にそれぞれ巻回して当該各接続口を覆う一対の接続口巻回体と、当該エルボ体のわん曲方向に沿った中央部に巻回して当該中央部を覆う中央部巻回体との３つの部分から成って、
一対の接続口巻回体の間に中央部巻回体が配置されて、計３つの各巻回体は、前記エルボ体の屈曲部外側に配置される２つの連結部により互いに連結された展開形状を有し、
前記３つの各巻回体は、いずれもエルボ体に巻回された状態で、両端が互いに重合する長さに形成されて、当該巻回方向重合部で巻回体の両端部を連結して一体化される連結固定部が前記巻回方向重合部にそれぞれ設けられていることを特徴とする遮音シート。
【請求項４】
前記巻回体は、巻回状態において、連結部により連結された隣接する他の巻回体に対して幅方向に重合する幅に形成され、前記連結部には、前記幅方向重合を許容する切込みが形成されていることを特徴とする請求項１ないし３のいずれかに記載の遮音シート。
【請求項５】
前記連結固定部は、スナップボタンであることを特徴とする請求項１ないし４のいずれかに記載の遮音シート。    
【発明の詳細な説明】
【技術分野】
【０００１】
本発明は、排水管の屈曲配管部に設けられるエルボ体の外周を覆って、排水時に水と排水管との衝突により発生する衝突音を遮音するための１枚シート状をした遮音シートに関するものである。
【背景技術】
【０００２】
排水管の排水時に発生する音を遮音する技術として、吸音層と遮音層とから成る二層構造のシート状をした防音カバーにより排水管の外周を覆うものがあった（特許文献１）。しかし、排水管の直管部、及びエルボ部（わん曲部）のいずれの部分に防音カバーを被覆する場合でも、排水管に対して被覆した遮音材を固定するためのバンドと、隣接する各遮音材の接続部の隙間を覆う目地テープとが必要であり、被覆作業に多くの手間を要する。
【０００３】
特に、エルボ部に防音カバーを被覆するには、わん曲方向に沿った両端の接続口、及び中央部の３つの各部分をそれぞれ別の防音カバーで覆って、隣接する各カバーの接続部を目地テープで覆うと共に、各接続部を覆う防音カバーはバンドにより固定していた。この場合、隣接する防音カバーは、各端面の突き合わせにより隙間を最少にしているが、経年使用、及び発生振動により端面の突き合わせがずれたり、テープ及びバンドが外れたりして、エルボ部の外周面が露出して遮音効果が減じられる。また、直管部とエルボ部とを覆う各防音カバーの接続部を含めて、当該接続部において各防音カバーを重ね合わせて、この重合部をテープで覆うことも考えられるが、短期間のうちに重合がずれてしまい、長期間に亘って重合状態を維持することは難しかった。
【先行技術文献】
【特許文献】
【０００４】
【特許文献１】特開平１０−１８５０７４号公報
【発明の概要】
【発明が解決しようとする課題】
【０００５】
本発明は、エルボ体の外周を１枚シート状をした遮音シートにより、露出部の発生をなくして迅速、かつ簡単に巻回可能にすることを課題としている。
【課題を解決するための手段】
【０００６】
また、上記課題を解決するための請求項１の発明は、排水管の屈曲配管部に設けられるエルボ体を覆う遮音シートであって、前記エルボ体の２つの各接続口にそれぞれ巻回して覆うことが可能であって、当該エルボ体の屈曲部外側に配置される部分が連結部となって互いに連結された２つの巻回体から成り、前記各巻回体は、各接続口に巻回された状態で両端部が互いに重合する長さに形成されて、当該巻回方向重合部において巻回体の両端部を連結して一体化する連結固定部が設けられていることを特徴としている。
【０００７】
請求項１の発明に係る遮音シートは、エルボ体の屈曲部外側に配置される連結部により一体化された２つの巻回体が１枚シート状となっていて、連結部をエルボ体の屈曲部外側に配置して、当該エルボ体の各接続口を各巻回体で巻回して、エルボ体の一方の側面側に配置されて各巻回体の両端部の互いに重なりあった巻回方向重合部を、当該巻回方向重合部に設けられた連結固定部により一体に連結固定すると、１枚シート状の遮音シートによりエルボ体の全周が覆われる。
【０００８】
また、請求項２の発明は、請求項１の発明において、エルボ体は、排水管を直交して接続可能であり、しかも２つの接続口の長さが等しいものであって、巻回方向に沿った辺の長さがエルボ体の周長よりも長い長方形状であって、エルボ体の屈曲部内側に配置される部分が欠落されて、巻回方向と直交する一方の辺で開口して、２つの巻回体が対称形状となった展開形状を有し、巻回方向と直交する他方の辺の中央部に、巻回方向に沿った切込みが形成されていることを特徴としている。
【０００９】
請求項２の発明によれば、２つの巻回体が対称に配置された比較的単純な形状の１枚の遮音シートにより、排水管を直交して接続可能であり、しかも２つの接続口の長さが等しい交差角度が９０°のエルボ体の全周を覆うことができる。
【００１０】
また、請求項３の発明は、排水管の屈曲配管部に設けられるエルボ体を覆う遮音シートであって、前記エルボ体のわん曲方向に沿った両端の各接続口にそれぞれ巻回して当該各接続口を覆う一対の接続口巻回体と、当該エルボ体のわん曲方向に沿った中央部に巻回して当該中央部を覆う中央部巻回体との３つの部分から成って、一対の接続口巻回体の間に中央部巻回体が配置されて、計３つの各巻回体は、前記エルボ体の屈曲部外側に配置される２つの連結部により互いに連結された展開形状を有し、前記３つの各巻回体は、いずれもエルボ体に巻回された状態で、両端が互いに重合する長さに形成されて、当該巻回方向重合部で巻回体の両端部を連結して一体化される連結固定部が前記巻回方向重合部にそれぞれ設けられていることを特徴としている。
【００１１】
一対の接続口巻回体は、エルボ体のわん曲方向の両端の各接続口を覆う部分であり、中央部巻回体は、エルボ体のわん曲方向の中央部のわん曲部を覆う部分であり、請求項３の発明に係る遮音シートは、３つの各巻回体が並列配置された１枚シート状をしていて、所定長の内側わん曲部が存在していて比較的わん曲半径の大きなエルボ体の外周を覆うのに適している。このため，３つの各巻回体によりエルボ体のわん曲方向に沿った両端の各接続口、及び中央部をそれぞれ覆って、各巻回体の巻回方向に沿って発生する巻回方向重合部において、当該巻回方向重合部に設けられた各連結固定部により各巻回体の両端部を連結して一体化すると、エルボ体は、隣接する各巻回体が干渉することなく、１枚シート状をした遮音シートにより全体が覆われる。
【００１２】
また、請求項４の発明は、請求項１ないし３のいずれかの発明において、前記巻回体は、巻回状態において、連結部により連結された隣接する他の巻回体に対して幅方向に重合する幅に形成され、前記連結部には、前記幅方向重合を許容する切込みが形成されていることを特徴としている。
【００１３】
請求項４の発明によれば、隣接する各巻回体は、当該各巻回体を連結する連結部に形成された切込みによって、幅方向に重合した状態で、エルボ体の外周面に巻回されるため、当該外周面の露出部がなくなる。この結果、前記露出部からの音漏れがなくなって、遮音効果が一層高められる。
【００１４】
請求項５の発明は、請求項１ないし４のいずれかの発明において、前記連結固定部は、スナップボタンであることを特徴としている。
【００１５】
請求項５の発明によれば、巻回方向重合部において巻回体の両端部を連結して一体化する連結固定部がスナップボタンで構成されているので、巻回体の巻回方向重合部をワンタッチで連結固定でき、しかもスナップボタンには、エルボ体の周方向に沿った力は作用するが、スナップボタンが外れる方向（周面に対して垂直な方向）の力が作用することは少ないので、雌雄一対のスナップボタンを係合させた後には、当該係合が外れることは少ない。
【発明の効果】
【００１６】
本発明によれば、巻回対象であるエルボ体の外周面立体形状に対応した複数の巻回体を有する１枚シート状の遮音シートを使用して、遮音シートの各巻回体をエルボ体の対応部分に個別に巻回し、かつ巻回体の巻回方向の重合部において当該巻回体の巻回方向の両端部を連結固定部により一体化することにより、エルボ体の全外周面を遮音シートで覆うことができる。このため、エルボ体に対する遮音シートの巻回作業が容易となり、しかも作業者の技術差が巻回状態に現れなくて、作業者の技術とは無関係に常に所定の巻回精度を維持できる。また、経年使用しても、遮音シートを構成する複数の巻回体の相対位置がずれることがなく、しかも各巻回体の巻回方向の両端部は、連結固定部によりしっかりと一体化されているので、長期間に亘って遮音効果を維持できる。
【００１７】
また、巻回体は、巻回状態において、連結部により連結された隣接する他の巻回体に対して幅方向に重合する幅に形成され、前記連結部には、前記幅方向重合を許容する切込みが形成された構成にすると、隣接する各巻回体は、当該各巻回体を連結する連結部に形成された切込みによって、幅方向に重合した状態で、エルボ体の外周面に巻回されるため、当該外周面の露出部がなくなる。この結果、前記露出部からの音漏れがなくなって、遮音効果が一層高められる。
【図面の簡単な説明】
【００１８】
【図１】参考例に係る遮音シートＳ1 、本発明に係る遮音シートＳ2 ，Ｓ3 及び直管用の遮音シートＳ10により遮音された排水管の配管状態を示す図である。
【図２】参考例に係る遮音シートＳ1 の展開図である。
【図３】図２のＸ−Ｘ線断面図である。
【図４】異径管継手体Ｃの外周面に遮音シートＳ1 を覆っている途中の状態の斜視図である。
【図５】同じく覆われた状態の斜視図である。
【図６】同じく覆われた状態の正面図（エルボ体Ｅ1 の手前側の側面部を表した図）である。
【図７】本発明に係る遮音シートＳ2 の展開図である。
【図８】エルボ体Ｅ2 の外周面に遮音シートＳ2 を覆っている途中の状態の斜視図である。
【図９】同じく覆われた状態の正面図（エルボ体Ｅ2 の手前側の側面部を表した図）である。
【図１０】（イ）は、同じく覆われた状態の底面図（エルボ体Ｅ2 の手前側と反対側の側面部を表した図）、（ロ）は、（イ）のＹ1 −Ｙ1 線部分断面図である。
【図１１】図９のＹ2 −Ｙ2 線模式的断面図である。
【図１２】遮音シートＳ2 で覆われたエルボ体Ｅ2 の模式的中央縦断面図（図１１のＹ3 −Ｙ3 線断面図）である。
【図１３】本発明に係る遮音シートＳ3 の展開図である。
【図１４】エルボ体Ｅ3 の外周面に遮音シートＳ3 を覆っている途中の状態の斜視図である。
【図１５】同じく覆われた状態の正面図である。
【発明を実施するための形態】
【００１９】
以下、複数の実施形態を挙げて本発明について更に詳細に説明する。
【参考例１】
【００２０】
図１は、参考例に係る遮音シートＳ1 、本発明に係る遮音シートＳ2 ，Ｓ3 及び直管用の遮音シートＳ10により遮音された排水管の配管状態を示す図である。便器８０からの汚水を排水するための複数の直管状の排水管Ｐ10は、４５°用のエルボ体Ｅ1 、９０°用のエルボ体Ｅ2 、同じく９０°用の曲率半径の大きなエルボ体Ｅ3 及び異径管継手体Ｃを介して屈曲配管されて、本体排水管Ｐ30に接続されている。異径管継手体Ｃは、遮音シートＳ1 が外周面に覆われて遮音されており、各エルボ体Ｅ1 〜Ｅ3 は、いずれも本発明に係る遮音シートＳ2', Ｓ2,Ｓ3 が外周面に覆われて遮音されており、更に直管状の排水管Ｐ10は、公知の遮音シートＳ10が外周面が覆われて遮音されている。以下、参考例に係る遮音シートＳ1 、本発明に係る遮音シートＳ2 ，Ｓ3 について順次説明する。
【００２１】
最初に、異径管継手体Ｃを遮音するための遮音シートＳ1 について説明する。図２は、遮音シートＳ1 の展開図であり、図３は、図２のＸ−Ｘ線断面図であり、図４は、異径管継手体Ｃの外周面に遮音シートＳ1 を覆っている途中の状態の斜視図であり、図５及び図６は、同じく覆われた状態の斜視図及び正面図（エルボ体Ｅ1 の手前側の側面部を表した図）である。異径管継手体Ｃは、大径の排水管Ｐ20と小径の排水管Ｐ10とを接続するための継手（接続具）であって、大径口５１と小径口５２の両接続口の間に設けられたテーパー部（中間部、連結部）５３との３つの部分から成る。なお、異径管継手体Ｃには、テーパー部（中間部、連結部）５３を有することなく、大径口５１と小径口５２と直接に接続されたような形態もある。
【００２２】
遮音シートＳ1 は、図２及び図３に示されるように、異径管継手体Ｃの上記形状に対応して、大径口５１に巻回されてその全体を覆うための長方形状の大径巻回体１と、前記小径口５２の全体を覆うために、当該大径巻回体１の一方の長辺から連結部２，２’を介して斜側方に向けて延出形成された複数片（実施例では３片）の小径巻回体３とで形成されて、１枚シート状となっている。各小径巻回体３は、隣接する小径巻回体３の間、又は大径巻回体１と小径巻回体３との間に切込み８が形成されて、それぞれ独立した片状に形成されている。大径巻回体１の長辺の長さＬ1 は、異径管継手体Ｃの大径口５１に巻回した際に両端部が互いに重合するように、当該大径口５１の外周長よりも所定長だけ長く形成されており、幅Ｗ11は、大径口５１の幅よりも僅かに広く形成されている。３辺の小径巻回体３は、いずれも幅Ｗ12のリング分状をなしていて、３辺の小径巻回体３のわん曲方向に沿った長さの和は、大径口５１の外周長よりも長くなっており、大径巻回体１に対して斜側方を向いているのは、小径口５２とテーパー部５３とを被覆可能にするためである。なお、後述する巻回方向重合部４及び幅方向重合部６の図面上の位置を理解し易くするために、大径巻回体１の巻回方向（長手方向）と直交する方向に沿った各短辺にそれぞれ１ａ，１ｂの符号を付し、大径巻回体１の２つの長辺のうち、完全長辺となっている辺、及び小径巻回体３が延出されている側に残存している辺にそれぞれ１ｃ，１ｄの符号を付す。また、小径巻回体３の各辺のうち、先端の直線状の辺に３ａの符号を付し、わん曲状をした２辺にそれぞれ３ｂ，３ｃの符号を付す。
【００２３】
遮音シートＳ1 は、図３に示されるように、内側に配置される吸音材４１と外側に配置される遮音材４２とが積層されたもので、吸音材４１は、ニードルフェルト等で成形され、遮音材４２は、軟質塩化ビニル樹脂等で成形され、吸音材４１による音を吸収する作用と、遮音材４２による音をはね返す作用とが相乗して、排水管Ｐ10に排水が衝突して発生する音を効果的に吸収し得る。また、遮音シートＳ1 の大径巻回体１の長手方向の両端部には、大径巻回体１を異径管継手体Ｃの大径口５１に巻回することにより両端が重なり合う部分を一体化するための雄雌で一対をなすスナップボタン４３ａ，４４ｂがそれぞれ一体に取付けられている。また、各小径巻回体３の基端部及び先端部には、巻回状態において隣接する一方の小径巻回体３の先端部を、他方の小径巻回体３の基端部に重ね合わせた状態にして一体化するための雄雌の各スナップボタン４３ａ，４３ｂがそれぞれ一体に取付けられている。図２及び図３に示されるように、雄スナップボタン４３ａは、遮音材４２の上面に嵌合突起４３a1が突設された形態となって、また雌スナップボタン４３ｂは、吸音材４１の裏面に嵌合リング４３b1が埋設された形態となって、それぞれ取付けられている。
【００２４】
上記遮音シートＳ1 を使用して、異径管継手体Ｃの全外周面を覆うには、図４ないし図６に示されるように、異径管継手体Ｃの大径口５１の外周面に遮音シートＳ1 の大径巻回体１を巻回すると、当該大径巻回体１の長手方向の両端部が互いに重なり合う。大径巻回体１における巻回方向に沿った重なり部分である巻回方向重合部４には、それぞれ雄雌のスナップボタン４３ａ，４３ｂが一体に取付けられているため、巻回方向重合部４の裏側に配置された雄スナップボタン４３ａの嵌合突起４３a1を、同様の表側に配置された雌スナップボタン４３ｂの嵌合リング４３b1に押し付けて嵌合させると、大径巻回体１の巻回方向（長手方向）の両端の巻回方向重合部４は一体化されて、異径管継手体Ｃの大径口５１の外周面に大径巻回体１が巻回されて覆われる。なお、巻回方向重合部４は、図６において、大径巻回体１の各短辺１ａ，１ｂで囲まれる部分である。
【００２５】
次に、３片の各小径巻回体３をそれぞれ異径管継手体Ｃの小径口５２に沿わせて巻回して、当該小径巻回体３の先端部の雌スナップボタン４３ｂを、隣接する別の小径巻回体３の基端部に一体化して取付けられた雄スナップボタン４３ａに押し付けて、両者を嵌合させると、当該小径巻回体３は、その幅方向の一部が大径巻回体１の上に巻回されて、幅方向に沿って重なり合った部分（幅方向重合部６）を形成した状態で、異径管継手体Ｃの小径口５２に部分巻回される。同様にして、残りの２片の各小径巻回体３を小径口５２に部分巻回させる。これにより、図６に明瞭に図示されているように、隣接する２片の各小径巻回体３は、巻回方向に沿って重ね合わせられて巻回方向重合部５が発生すると共に、大径及び小径の各巻回体１，３は、それらの幅方向（異径管継手体Ｃの軸方向）に沿っても重ね合わせられて、幅方向重合部６が発生する。また、異径管継手体Ｃのテーパー部５３は、遮音シートＳ1 の大径及び小径の各巻回体１，３の双方によって覆われる。このように、大径及び小径の各巻回体１，３の巻回方向と幅方向との双方において巻回方向重合部４，５及び幅方向の幅方向重合部６が発生するため、異径管継手体Ｃの全外周面が遮音シートＳ1 により覆われて、露出部が全くなくなるため、遮音効果が高められる。また、巻回方向及び幅方向の各重合部４，５，６が形成されるようにして、異径管継手体Ｃの外周面に遮音シートＳ1 が巻回され、小径巻回体３に関しては、異径管継手体Ｃの小径口５２及びテーパー部５３に対して密着させることは困難であって、異径管継手体Ｃの外周面との間には所定の隙間が発生するが、当該隙間がほぼ密閉されているため、遮音機能を果たす空気層として作用する。
【００２６】
なお、遮音シートＳ1 の巻回方向に沿った長さＬ1 及び幅Ｗ11は、異径管継手体Ｃの大径口５１の外径（外周長）及び長さに応じてそれぞれ変更され、複数の小径巻回体３の幅Ｗ12は、異径管継手体Ｃの小径口５２の長さに応じて変更される。また、小径巻回体３の数（分割数）に関しては、異径管継手体Ｃの大径口５１の外径（サイズ）及び作業性の観点から相対的に定められ、外径が大きくなる程、小径巻回体３の数は多くなる。
【００２７】
このように、本発明に係る遮音シートＳ1 は、異径管継手体Ｃの各巻回部分に対応した形状の巻回体１，３が連結部２，２’により連結されて１枚シート状をなしていて、最初に大径巻回体１を異径管継手体Ｃの大径口５１に巻回して取付けられた状態にしてから、各小径巻回体３を順次巻回するため、異径管継手体Ｃに対する遮音シートＳ1 の巻回作業を安定して容易に行うことができ、しかも作業者の技術差が巻回状態に現れないために、隙間等が発生することなく、作業者の技術とは無関係に常に所定の巻回精度を維持できる。また、経年使用しても、遮音シートＳ1 を構成する大径及び小径の各巻回体１，３の相対位置がずれることがなく、しかも大径及び小径の巻回体１，３の巻回方向の両端部は、雄雌の各スナップリング４３ａ，４３ｂによりしっかりと一体化されていて外れることはないので、長期間に亘って遮音効果を維持できる。
【実施例１】
【００２８】
次に、排水管を直交させて屈曲配管する際に使用される９０°用のエルボ体Ｅ2 を遮音するための本発明に係る遮音シートＳ2 について説明する。図７は、遮音シートＳ2 の展開図であり、図８は、エルボ体Ｅ2 の外周面に遮音シートＳ2 を覆っている途中の状態の斜視図であり、図９は、同じく覆われた状態の正面図（エルボ体Ｅ2 の手前側の側面部を表した図）であり、図１０（イ）は、同じく覆われた状態の底面図（エルボ体Ｅ2 の手前側と反対側の側面部を表した図）であり、図１０（ロ）は、同（イ）のＹ1 −Ｙ1 線部分断面図であり、図１１は、図９のＹ2 −Ｙ2 線模式的断面図であり、図１２は、遮音シートＳ2 で覆われたエルボ体Ｅ2 の模式的中央縦断面図（図１１のＹ3 −Ｙ3 線断面図）である。エルボ体Ｅ2 は、排水管を直交させて屈曲配管する際に使用されるものであるが、屈曲部の半径（曲率半径）が比較的小さくて、２本の排水管を小さな曲率半径で急激に屈曲させて接続する場合に使用され、わん曲方向に沿った両端部に同径の接続口６１がそれぞれ設けられ、屈曲部内側において各接続口６１は部分的に交叉していて、屈曲部外側にのみわん曲部が形成されていて、屈曲部内側にはわん曲部は形成されていない。
【００２９】
遮音シートＳ2 の展開形状は、図７に示されるように、エルボ体Ｅ2 の接続口６１の外周長よりも長い長さＬ2 の長辺１１ａと、幅Ｗ21の短辺１１ｂ（１１b') を有する長方形状であって、エルボ体Ｅ2 の屈曲部内側に配置される部分は長辺の方向に沿って長い変形菱形状に欠落されて、当該欠落部１２は短辺１１b'の側に開口されて、対称形状の一対の巻回体１１が連結部１３により一体に連結された形状である。遮音シートＳ2 の幅方向の中央であって、変形菱形状の欠落部１２に接続する部分、及び開口１４が形成された短辺１１b'とは別の短辺１１ｂには、長辺１１ａと平行な各切込み１５，１６がそれぞれ形成されている。各切込み１５，１６は、各巻回体１１を長辺１１ａの方向に沿って巻回して、エルボ体Ｅ2 の各接続口６１に被覆する際に、当該エルボ体Ｅ2 の各接続口６１が９０°で交叉しているのに対応して、遮音シートＳ2 における各切込み１５，１６の両側の部分を互いに重ね合わせて、エルボ体Ｅ2 に対して各巻回体１１が干渉することなく巻回可能にするための部分である。また、参考例１の遮音シートＳ1 と同様に、エルボ体Ｅ2 に対して遮音シートＳ2 の各巻回体１１を巻回した場合に、各巻回体１１の巻回方向、及び幅方向に沿って互いに重なり合う部分（巻回方向重合部１７及び幅方向重合部１８）において一体化するための雄雌の各スナップボタン４３ａ，４３ｂがそれぞれ一体に取付けられている。即ち、各巻回体１１の長手方向の両端の巻回方向重合部１７（図９参照）となる部分には、それぞれ互いに嵌合し合う雄雌の各スナップボタン４３ａ，４３ｂがそれぞれ一体に取付けられており、各巻回体１１における切込み１６の両側の幅方向重合部１８（図９参照）となる部分１１ｃには、重合状態を一体化するための雄雌の各スナップボタン４３ａ，４３ｂがそれぞれ一体に取付けられている。
【００３０】
そして、エルボ体Ｅ2 の全外周面を遮音シートＳ2 で覆うには、図８ないし図１０に示されるように、各巻回体１１の連結部１３を屈曲部外側に配置して、各巻回体１１を長辺１１ａの方向に沿って巻回して、エルボ体Ｅ2 の各接続口６１の部分を覆うと、切込み１５の存在により、エルボ体Ｅ2 の略下半部（正面と反対側の側面部）と屈曲部内側の各部分において、各巻回体１１における変形菱形状の欠落部１２の周縁部が幅方向に僅かに重なり合った状態〔この状態が図１０（ロ），図１１及び図１２に図示されている〕となって、幅方向重合部１９が形成されると共に、切込み１６の存在により、エルボ体Ｅ2 の上面において、各巻回体１１における切込み１６の両側の部分１１ｃが重なり合って幅方向重合部１８が形成される。なお、図７、図１０（ロ）、図１１及び図１２において、１１ｄは、変形菱形状の欠落部１２の周縁を示す。幅方向重合部１８は、正面と反対側の側面部では、当該側面部がわん曲していないために、図１０（イ），（ロ）に示されるように、各巻回体１１における欠落部１２の周縁１１ｄに臨む部分は、互いに重なり合うが、正面と反対の側面部から屈曲部内側に至るに従って、わん曲度が増すために、各巻回体１１における欠落部１２の周縁１１ｄに臨む部分は、徐々に大きくなる交差角を持って重合するため、屈曲部内側においては、図１２に示されるように、各巻回体１１における欠落部１２の周縁１１ｄに臨む一方の部分は、他方の部分に対して先端が僅かに屈曲した状態で重ね合わせられる。
【００３１】
そして、２箇所の巻回方向重合部１７及び幅方向重合部１８において、それぞれ雄雌の各スナップボタン４３ａ，４３ｂの嵌合により一体化させると、エルボ体Ｅ2 に対して遮音シートＳ2 が巻回方向、及び幅方向（エルボ体Ｅ2 を基準にすれば、わん曲方向）の双方に沿って隙間が全く発生しない状態で、当該エルボ体Ｅ2 の全外周面が遮音シートＳ2 により覆われる。また、雄雌の各スナップボタン４３ａ，４３ｂにより巻回方向に重合されて一体化される部分は、わん曲していない面である一方の側面側に配置されているため、巻回方向及び幅方向の双方の重合状態が安定化すると共に、雄雌の各スナップボタン４３ａ，４３ｂの嵌合操作を行い易い。なお、図１１は、上記したことの理解を容易にするために、模式的に表示した断面図であって、厳格表現はされていない。
【００３２】
ここで、エルボ体Ｅ2 の外周面を遮音シートＳ2 を覆った状態で、周方向の略半分において発生する幅方向重合部１９の重合長は、遮音シートＳ2 の展開形状において、変形菱形状をした欠落部１２の各部分の幅Ｗ22によって定められるため、エルボ体Ｅ2 の全体形状に対応して、欠落部１２の各部分の幅Ｗ22を最適に選択することが重要となる。
【００３３】
このようにして、エルボ体Ｅ2 の外周面に覆われた遮音シートＳ2 は、各巻回体１１の巻回方向、及びその幅方向（エルボ体Ｅ2 のわん曲方向）の双方に対して全く移動できず、しかも各スナップボタン４３ａ，４３ｂが外れる恐れは殆どないので、巻回方向及び幅方向の各重合部１７，１８，１９は、長期に亘って重合状態を維持するため、経年使用によって遮音効果が低下することはない。
【００３４】
また、実施例１の遮音シートＳ2 は、２本の排水管Ｐ10を直交させて屈曲配管する場合に使用されるエルボ体Ｅ2 の外周面を覆うものであるが、図１に示されるように、２本の排水管Ｐ10を４５°だけ曲げて屈曲配管するのに使用されるエルボ体Ｅ1 の外周面を覆う遮音シートＳ2'の展開形状は、各エルボ体Ｅ1,Ｅ2 の大きさ（呼び径）を同一とした場合には、前記遮音シートＳ2 の展開形状に対して、長辺１１ａはそのままで、短辺１１ｂを僅かに短くすると共に、欠落部１2 の変形菱形状の幅を狭くした形状となる点が異なるのみで、巻回方向及び幅方向の各重合部１７，１８，１９が発生させる構成は全く同一である。
【実施例２】
【００３５】
引き続いて、排水管を直交させて屈曲配管する際に使用され、わん曲部の曲率半径が前記エルボ体Ｅ2 よりも大きな９０°用のエルボ体Ｅ3 を遮音するための本発明に係る遮音シートＳ3 について説明する。図１３は、遮音シートＳ3 の展開図であり、図１４は、エルボ体Ｅ3 の外周面に遮音シートＳ3 を覆っている途中の状態の斜視図であり、図１５は、同じく覆われた状態の正面図である。遮音シートＳ3 は、前記遮音シートＳ2 により覆われるエルボ体Ｅ2 よりもわん曲部の曲率半径の大きなエルボ体Ｅ3 の外周を覆うために、エルボ体Ｅ3 の両端の各接続口７１を覆うための一対の接続口巻回体２１と、各接続口７１の間に配置される中央部（わん曲部）７２を覆う中央部巻回体２２との計３つの部分で構成されて、中央部巻回体２２の幅方向に対して直交する対称線Ｌ0 に対して対称形状となっており、中央部巻回体２２を有している点が前記遮音シートＳ2 と異なる。従って、遮音シートＳ3 において中央部巻回体２２を欠落させて、一対の接続口巻回体２１を連結部２３で一体に連結すると、ほぼ前記遮音シートＳ2 の形状となる。
【００３６】
一対の接続口巻回体２１の間に中央部巻回体２２が配置されて、エルボ体Ｅ3 に巻回した状態で屈曲部外側に配置される連結部２３を介して一体に連結されて１枚シート状となっている。エルボ体Ｅ3 は、わん曲方向に沿って両端の各接続口７１の外径は、同様の中央部の外径よりも大きいことに対応して、即ち巻回する部分の周長に対応して、中央部巻回体２２の長さＬ32は、接続口巻回体２１の長さＬ31よりも僅かに長くなっている。遮音シートＳ3 の幅方向の中央部におけるエルボ体Ｅ3 の略下半部（反対側の側面部）から屈曲部内側に配置される部分（図１１参照）には、エルボ体Ｅ3 をわん曲方向に沿って３分割した各部分に計３片の各巻回体２１，２２を、幅方向に所定長だけ重ね合わせた状態で、即ち幅方向重合部が形成されるような状態で巻回できるように、一対の接続口巻回体２１及び中央部巻回体２２の各巻回体が互いに分離されるように変形菱形状の第１欠落部２４が形成されている。一方、連結部２３を挟んで前記第１欠落部２４と反対の部分においても、隣接する計３片の巻回体２１，２２が干渉することなく巻回可能とするために、隣接する各巻回体２１，２２の間には、略三角形状の第２欠落部２５が形成されている。第１及び第２の各欠落部２４，２５は、いずれも巻回方向と直交する辺に対して開口している。また、第１及び第２の各欠落部２４，２５に臨む部分には各巻回体２１，２２の巻回時に幅方向に沿って重ね合わせる部分（幅方向重合部）を形成すべく、第１及び第２の各切込み２６，２７が巻回方向に沿ってそれぞれ形成されている。なお、図１３において、２１ａ，２１a'及び２２ａ，２２a'は、それぞれ接続口巻回体２１及び中央部巻回体２２の巻回方向と直交する方向の各辺を示し、２１ｂ，２２ｂは、それぞれ第２欠落部２５を形成する接続口巻回体２１及び中央部巻回体２２の欠落辺を示す。
【００３７】
遮音シートＳ3 は、前記エルボ体Ｅ2 よりもわん曲部の曲率半径が大きなエルボ体Ｅ3 に対してわん曲方向に沿って３分割した各部分にそれぞれ巻回体２１，２２を巻回する構成であるため、巻回状態において隣接する各巻回体２１，２２との正面視における交叉角度が、２分割構造の前記遮音シートＳ2 に比較して小さくなる。このため、前記遮音シートＳ2 では、各巻回体１１の幅方向に重ね合わせられた部分において雄雌の各スナップボタン４３ａ，４３ｂにより一体化していたが、遮音シートＳ3 では、雄雌の各スナップボタン４３ａ，４３ｂで異なる巻回体２１，２２を一体化する必要がないので、各巻回体２１，２２は、巻回方向に沿った両端部にそれぞれ互いに嵌合される雄雌のスナップボタン４３ａ，４３ｂが一体に取付けられている。
【００３８】
そして、図１４及び図１５に示されるように、各連結部２３が屈曲部外側に配置されるようにして、エルボ体Ｅ3 をわん曲方向に沿って３分割した各部分をそれぞれ遮音シートＳ3 の接続口及び中央部の各巻回体２１，２２により巻回して、巻回方向に重なり合った部分において、当該巻回方向重合部に設けられた雄雌の各スナップボタン４３ａ，４３ｂを嵌合させて一体化させる。これにより、図１５に示されるように、左右の各接続口巻回体２１と、その間に配置された中央部巻回体２２とは、連結部２３の部分を除いて幅方向に重ね合わされた状態で、エルボ体Ｅ3 の全外周面が遮音シートＳ3 で覆われる。なお、図１５において、２８，２９は、いずれも幅方向重合部を示し、３１，３２は、いずれも巻回方向重合部を示す。
【００３９】
また、実施例２においても、雄雌の各スナップボタン４３ａ，４３ｂにより巻回方向に重合されて一体化される部分は、わん曲していない面である一方の側面側に配置されているため、巻回方向及び幅方向の双方の重合状態が安定化すると共に、雄雌の各スナップボタン４３ａ，４３ｂの嵌合操作を行い易い。
【００４０】
なお、図１において、上記した異径管継手体Ｃ及び各エルボ体Ｅ1 〜Ｅ3 に対する遮音シートＳ1 〜Ｓ3 の巻回は、直管状の配管Ｐ10の外周に遮音シートＳ10を巻回した後に行い、当該遮音シートＳ10と各遮音シートＳ1 〜Ｓ3 とは、幅方向（排水管Ｐ10の長手方向）に沿って所定長だけ重ね合わせてある。
【００４１】
また、隣接する巻回体が幅方向に沿って重合して「幅方向重合部」を形成するとは、図９に示されるように、エルボ体Ｅ2 の一方の側面において隣接する各巻回体１１が互いにぼほ平行な状態で重なり合う場合が典型例として、図１５に示されるように、隣接する各巻回体２１，２２が所定の角度で交叉した状態で重なり合う場合、図１２に示されるように、エルボ体Ｅ2 の内側屈曲部において隣接する各巻回体１１がほぼ直交して交叉することにより、一方の巻回体１１の先端部が僅かに折れ曲がって重なり合う場合、更には、図１２に示される状態において、一方の巻回体１１の端面が他方の巻回体の表面に単に当接している場合も含むものである。即ち、本明細書に使用される「幅方向重合部」とは、隣接する各巻回体が上記のような種々の態様で幅方向に重なり合うことにより、異径管継手体又はエルボ体の外周面が露出しなくなって、遮音効果を発揮できるような状態を指す。
【００４２】
なお、参考例１及び実施例１，２では、異径管継手体又はエルボ体に対して巻回体を巻回して巻回方向の両端部を重ね合わせた重合部を一体化するための連結固定手段として、スナップボタンを挙げているが、他の連結固定手段としては、互いに重合される対向面に雄雌の多数のファスナー片が形成されていて、重合部を押し付けることにより、一方のファスナー片が他方のファスナー片の間に絡んだ状態で入り込むことにより連結するものであってもよい。
【符号の説明】
【００４３】
Ｃ：異径管継手体
Ｅ1 〜Ｅ3 ：エルボ体
Ｐ10：排水管（小径）
Ｐ20：排水管（大径）
Ｓ1 〜Ｓ3 ：遮音シート
１：大径巻回体
２，２’：連結部
３：小径巻回体
４：大径巻回体の巻回方向重合部
５：小径巻回体の巻回方向重合部
６：幅方向重合部
１１：巻回体
１２：欠落部
１３：連結部
１５，１６：切込み
１７：巻回方向重合部
１８，１９：幅方向重合部
２１：接続口巻回体
２２：中央部巻回体
２３：連結部
２６：第１切込み
２７：第２切込み
２８，２９：幅方向重合部
３１，３２：巻回方向重合部
４３ａ，４３ｂ：スナップボタン（連結固定部）
５１：異径管継手体の大径口
５２：異径管継手体の小径口
５３：異径管継手体のテーパー部
６１：エルボ体の接続口
７１：エルボ体の接続口
７２：エルボ体の中央部
【図１】
2012167819.tif 000003
【図２】
2012167819.tif 000004
【図３】
2012167819.tif 000005
【図４】
2012167819.tif 000006
【図５】
2012167819.tif 000007
【図６】
2012167819.tif 000008
【図７】
2012167819.tif 000009
【図８】
2012167819.tif 000010
【図９】
2012167819.tif 000011
【図１０】
2012167819.tif 000012
【図１１】
2012167819.tif 000013
【図１２】
2012167819.tif 000014
【図１３】
2012167819.tif 000015
【図１４】
2012167819.tif 000016
【図１５】
2012167819.tif 000017